(57)【要約】【課題】  従来のアラーム電子機器は、騒音の激しい場所では警報音に気づき難く、又目覚まし時計としては音が発生する為に周囲の人に迷惑をかける。振動式とした場合でも消費電力に制約がある為、振動幅を大きく出来ない。よって使用者が感知するに十分な振動幅が得られ、且つ該腕時計の電源から十分な電力を供給する為のバッテリーを配置した腕時計式電子機器を提供するものである。【解決手段】  アラーム警報の報知を振動式とすることで、腕に直接振動が当たるため、騒音に関係なく報知され、且つ、メッセージ表示により予定を確認する事ができる。電源としては着脱可能な充電式バッテリー５とし、随時充電できるものとする。又、その配置は電子機器本体２とつなぎ３１を介したリストバンド４１ａの間とする事により解決できる。【選択図】  図１
2006349652.tif 000002
【特許請求の範囲】
【請求項１】
電子機器本体とリストバンドの間に充電式バッテリー及びその筐体が配置される構造であることを特徴とする腕時計式電子機器。
【請求項２】
請求項１の充電式バッテリーの筐体はヒンジ付とし、そのヒンジによって該電子機器本体につながれている構造である事を特徴とする腕時計式電子機器。
【請求項３】
振動発生器の筐体はヒンジ付とし、そのヒンジによって電子機器本体につながれている構造であることを特徴とする腕時計式電子機器。
【請求項４】
請求項１、２の充電式バッテリー及びその筐体が該電子機器本体の片側に配置され、逆側には、振動発生器及びその筐体が配置された構造である事を特徴とする腕時計式電子機器。
【請求項５】
請求項１、２、４の充電式バッテリーは、充電する為の充電用ジャックを充電式バッテリーの筐体に取り付けてある事を特徴とする腕時計式電子機器。
【請求項６】
該電子機器本体と情報端末器をケーブルにより接続し、情報端末器のキースイッチ操作部にて入力したアラーム予約設定時刻及びメッセージを該電子機器本体に送信し、電子機器本体内のメモリーに入力保存すると同時に、アラーム用タイマーを始動させる事を特徴とする腕時計式電子機器。
【請求項７】
請求項６にて保存されたメッセージは、アラーム設定時刻が現時刻に達した時、振動発生器が始動すると同時に、電子機器本体の表示画面にメッセージが表示されることを特徴とする腕時計式電子機器。
【請求項８】
腕時計式電子機器の情報端末器は、タイマー、スケジュール、カレンダー、各種辞典等の多機能を搭載したものとし、且つ、単独でも使用できることを特徴とした腕時計式電子機器。
【発明の詳細な説明】
【技術分野】
【０００１】  本発明は、腕時計式電子機器の構造及び構成に関する。
【背景技術】
【０００２】  従来の腕時計式電子機器のバッテリーは、該電子機器本体内部に収納する構造の物が一般的であり、その結果、振動モーター及びバッテリーの容積分、電子機器本体が大きなものとなり、腕時計式電子機器全体としてバランスを欠いたものになる。【０００３】  従って、上記のような電子機器用である振動モーター及びバッテリーの収納配置はあまり現実的ではない。【０００４】  又、バッテリーに関しては、非充電式バッテリーで、且つ、該電子機器本体内に収納することを前提としているため、容量の大きいものは使用しないので、上記の電子機器でアラームが作動すると、バッテリーの電圧低下のため時計に誤作動が生じる場合もある。【０００５】  従って、バッテリーの交換回数の頻度も多くなる、という欠点を有している。【０００６】  従って、該電子機器の電源としては、比較的大きな電流の安定した供給ができるものが望ましい。又、予約設定時刻に関しては、時刻設定した後、長時間経過した場合に、その設定した時刻の目的を忘れてしまう事もある。
【発明の開示】
【発明が解決しようとする課題】
【０００７】  以上に述べたように、腕時計式電子機器に搭載できる振動発生器は、容積の制限をうけるため、携帯電話のものより小型になり、発生する振動が弱くなる結果となった。又、バッテリーに関しても搭載できるものは小型になるために、十分な電流容量を得ることができない。【０００８】  このようなことから、従来の腕時計式電子機器では十分な振動幅を得るには限界がある。
【発明が解決するための手段】
【０００９】  上記課題を解決するため、本発明は振動発生器を搭載する腕時計式電子機器に対し以下のような手段をとる。
【００１０】  請求項１に記載の発明は、容量の大きい充電式バッテリー２２を電子機器本体２と切り離して配置することにより、該電子機器本体２の厚さを抑えることができる。
【００１１】  請求項２に記載の発明は、バッテリー２２を該電子機器本体２内に収納すると本体自身が大きくなるめ、本体と分離し、ヒンジ付であるバッテリー２２の筐体２１を該電子機器本体２とリストバンド４１ｂ間に配置するものである。
【００１２】  請求項３に記載の発明は、振動発生器１２を該電子機器本体２と分離し、ヒンジ付である振動発生器１２の筐体１１を該電子機器２とつなぎ３１を介してリストバンド４１ａ間に配置するものである。
【００１３】  請求項４に記載の発明は、電源用である充電式バッテリー２２を該電子機器本体２の片側に、又その該電子機器本体２の逆側には、振動発生器１２及びその筐体１１が配置されていることを特徴とするものである。
【００１４】  請求項５に記載の発明は、充電する為の充電用ジャック２３をバッテリーの筐体２１部分に取り付けることで、その分の電子機器本体２の容積分だけ小型化できる。
【００１５】  充電用ジャック２３を該電子機器本体２に取り付けると、該本体２の容積がその分大きくなるため、該本体を小型化するのに支障をきたすので、充電用ジャック２３を充電式バッテリー２２の筐体２１に取り付けることを特徴とする。
【００１６】  請求項６に記載の発明は、電子機器本体２の操作部４のキースイッチで文字入力できるだけのキースイッチを配置できるスペースを確保することは困難である。
【００１７】  従って、外付けの情報端末器６０にて入力したアラーム設定時刻及びメッセージのデーター等を通信用ケーブル５０で情報端末器６０と該電子機器２を接続して、送信し、そのデーターを該電子機器本体２のアラーム用カウントダウンのタイマーを始動させること及びメッセージのデーターをメモリーに入力する事を特徴とするものである。
【００１８】  請求項７に記載の発明は、アラーム予約設定時刻が現時刻に達した時、トリガーパルスを発生させ、そのトリガーパルスにより、振動発生器１２を駆動させ、同時に、メッセージを該電子機器本体２のメモリーから呼び出し、表示画面３に表示切替スイッチ１５を押した時に図８（ａ）に示す表示画面の時刻表示が消え、（ｂ）のメッセージが表示されるものである。
【００１９】  請求項８に記載の発明は、外付けの情報端末器６０にタイマー、スケジュール、カレンダー、各種辞典等の機能を有するものであり、その情報端末器６０単独でも使用できる事を特徴とする。
【発明実施の形態】
【００２０】  以下に本発明の実施の形態の一例を図面に基づいて説明する。
【００２１】  図１は本発明の第一実施例を示す腕時計式電子機器１である。腕時計式電子機器１は主に、液晶表示部４、キースイッチ操作部３及び内装部５からなる電子機器本体２、その電子機器本体２の両端にヒンジ付振動発生器１２の筐体１１及び充電式バッテリー２２を収納している筐体２１を配置しているものである。
【００２２】  ヒンジ付である振動発生器１２の筐体１１及び充電式バッテリー２２の筐体２１は空洞部分を有し、その中を介して該電子機器本体２と振動モーター１２間及び電子機器本体２と充電式バッテリー２２間は配線される。
【００２３】  さらに、その振動発生器１２の筐体１１につなぎの３１を介してリストバンド４１ａが配置されているという構成のものである。これは、振動発生器１２で発生する振動を抑制しないためのものであり、又、充電式バッテリー２２の筐体２１は直接リストバンド４１ｂに接続されるものである。
【００２４】  内装部５にはクロック発信機、メモリー、時刻やデーターの表示及び演算や入出力を行う電子部品、及びそれら内蔵品を固定するための基盤が含まれる。
【００２５】  以上のように構成された腕時計式電子機器１は図６に示すように、付属品として充電用アダプター８０を備え、随時充電用プラグ８２を介して充電できるものとする。該プラグ８２及び充電用ジャック２３の形状は他のものであっても構わない。
【００２６】  図７に示す情報端末器６０は通信用ケーブル５０により、該電子機器本体２に接続し、該情報端末器６０のキースイッチ操作部６４にてアラーム設定時刻及びメッセージを入力する。
【００２７】  入力時にメッセージ等の確認をする場合はスクロールスイッチ６２，６３を用いる。上方にスクロールする場合はスクロールスイッチ６２、下方にスクロールする場合はスクロールスイッチ６３を用いる。
【００２８】  入力したアラーム設定時刻及びメッセージを情報端末器６０のキースイッチ操作部６４にて電子機器本体２に送信する。アラーム予約設定時刻はアラーム用カウントダウンのタイマーをスタートさせる。
【００２９】  又、メッセージのデーターは該電子機器本体２のメモリーに入力保存される。設定したアラーム予約時刻が現在時刻に達した時、メッセージのデーターは呼び出され、図８（ｂ）に示すように、電子機器本体２の表示部３にメッセージを表示する事を特徴とする。
【００３０】  該情報電子機器６０を接続しないでアラーム予約設定時刻を入力する場合は、該電子機器本体２のキースイッチ操作部４を用いて行う。メッセージの入力は該キースイッチ操作部４では入力できない。
【００３１】  図３は、２個の偏重心の分銅１３ａ、１３ｂを取り付けた振動発生器１２を該電子機器本体２の片側に取り付けたものである。
【００３２】  又、その２個の分銅１３ａ、１３ｂは、お互いに１８０度の角度を持たせた対称点に固定されているが、同方向に固定したものでも構わない。しかし、この場合、振動モーター１２全体が同一方向に振動するため、発生する振動は異なったものとなる。
【００３３】  図４及び図５は、振動モーター１２により発生する振動は、腕の撓骨に振動を伝えるものである。
【発明の効果】
【００３４】  本発明は以上のように、設定時刻を感知する方法が振動のため、他人に知られずに振動が直接身体で感知され、使用者本人だけに設定した時刻に達したことを報知するものであり、ビジネスマン、時間単位で活躍している者にとって、約束時間に遅れる事、約束を忘れる事、等の防止に役立つものである。
【図面の簡単な説明】
【００３５】
【図１】  通信ケーブル用ジャック及び充電用ジャックの取り付け配置を示した腕時計式電子機器の斜視図
【図２】  表示切替スイッチを取り付けた側を示した腕時計式電子機器の斜視図
【図３】  腕時計式電子機器を上方向から視た図
【図４】  腕時計式電子機器を横方向から視た図
【図５】  腕時計式電子機器を装着したと仮定した場合の横方向から視た図
【図６】  充電用アダプターの全体図
【図７】  情報端末器の全体図
【図８】  腕時計式電子機器の表示部とキースイッチ操作部を表した図
【図９】  通信用ケーブル図
【符号の説明】
【００３６】  １  腕時計式電子機器
２  電子機器本体
３  表示部
４  キースイッチ操作部
５  内装部
６  電子機器本体側データ通信用ケーブル接続ジャック
１１  振動発生器の筐体
１２  振動発生器
１３ａ、１３ｂ  偏重心の分銅
１４  振動モーター停止スイッチ
１５  表示切替スイッチ
２１  充電用バッテリーの筐体
２２  充電用バッテリー
２３  充電用ジャック
３１  つなぎ
４１ａ、４１ｂ  リストバンド
５０  通信用ケーブル
５１、５２  プラグ
６０  情報端末器
６１  情報端末器の画面表示部
６２、６３  スクロールスイッチ
６４  情報端末器のキースイッチ操作部
６５  電源スイッチ
６６  情報端末器側データー通信用ジャック
６７、６８、６９、７０、７１、７２  機能スイッチ
８０  充電用アダプター
８１  充電用アダプター本体
８２  充電用プラグ
【図１】
2006349652.tif 000003
【図２】
2006349652.tif 000004
【図３】
2006349652.tif 000005
【図４】
2006349652.tif 000006
【図５】
2006349652.tif 000007
【図６】
2006349652.tif 000008
【図７】
2006349652.tif 000009
【図８】
2006349652.tif 000010
【図９】
2006349652.tif 000011
【手続補正書】
【提出日】平成18年7月25日(2006.7.25)
【手続補正１】
【補正対象書類名】特許請求の範囲
【補正対象項目名】全文
【補正方法】変更
【補正の内容】
【特許請求の範囲】
【請求項１】
電子機器本体とリストバンドとの間にそれぞれ充電式バッテリー又は振動発生器とが配置される構造であることを特徴とする腕時計式電子機器。
【請求項２】
前記充電式バッテリーの筐体はヒンジを介し、該電子機器本体に接続されている構造であることを特徴とする請求項１に記載の腕時計式電子機器。
【請求項３】
前記振動発生器の筐体が手首と接する面に凸凹を有している事、又、該筐体はヒンジを介し、電子機器本体に接続されている構造である事を特徴とする請求項１に記載の腕時計式電子機器。
【請求項４】
前記充電式バッテリーが電子機器本体の一方に配置され、他一方には、振動発生器が配置された構造である事を特徴とする請求項１〜３に記載の腕時計式電子機器。
【請求項５】
充電式バッテリー用の充電用ジャックは、該充電式バッテリーの筐体に取り付けてある事を特徴とする請求項１〜４に記載の腕時計式電子機器。
【請求項６】
該情報端末器のキースイッチ操作部にて入力したアラーム予約設定時刻及びメッセージを該電子機器本体に送信し、電子機器本体内部のメモリーに保存すると共に、アラーム用タイマーを設定する事を特徴とする請求項１〜５に記載の腕時計式電子機器。
【請求項７】
前記メモリーに保存されたメッセージは、アラーム設定時刻が現時刻に達した時、振動発生器が始動すると同時に、電子機器本体の表示画面にメッセージが表示されることを特徴とする請求項６に記載の腕時計式電子機器。
【請求項８】
前記情報端末器は、タイマー、スケジュール、カレンダー、各種辞典等の多機能を搭載したものであって、且つ、単独でも使用できることを特徴とした請求項６〜７に記載の腕時計式電子機器
【手続補正２】
【補正対象書類名】明細書
【補正対象項目名】全文
【補正方法】変更
【補正の内容】
【発明の詳細な説明】
【技術分野】
【０００１】  本発明は、腕時計式電子機器の構造及び構成に関する。
【背景技術】
【０００２】  従来の腕時計式電子機器のバッテリーは、該電子機器本体内部に収納する構造の物が一般的であり、その結果、振動モーター及びバッテリーの容積分、電子機器本体が大きなものとなり、腕時計式電子機器全体としてバランスを欠いたものになる。【０００３】  従って、上記のような電子機器用である振動モーター及びバッテリーの収納配置はあまり現実的ではない。【０００４】  又、バッテリーに関しては、非充電式バッテリーで、且つ、該電子機器本体内に収納することを前提としているため、容量の大きいものは使用しないので、上記の電子機器でアラームが作動すると、バッテリーの電圧低下のため時計に誤作動が生じる場合もある。【０００５】  従って、バッテリーの交換回数の頻度も多くなる、という欠点を有している。【０００６】  又、該電子機器の電源としては、比較的大きな電流の安定した供給ができるものが望ましい。予約設定時刻に関しては、時刻設定した後、長時間経過した場合に、その設定した時刻の目的を忘れてしまう事もある。
【発明の開示】
【発明が解決しようとする課題】
【０００７】  以上に述べたように、腕時計式電子機器は腕に装着の為、小型化が要求される。結果、それに搭載される振動発生器は、容積の制限をうけるため、携帯電話のものより小型になり、発生する振動が弱まる結果となった。又、バッテリーも小型になるため、十分な電流容量を得ることができない。【０００８】  このようなことから、従来の腕時計式電子機器では十分な振動幅を得るには限界がある。
【発明が解決するための手段】
【０００９】  上記課題を解決するため、本発明は振動発生器を搭載する腕時計式電子機器に対し以下のような手段をとる。
【００１０】  請求項１に記載の発明は、容量の大きい充電式バッテリー２２又は振動発生器を電子機器本体２と切り離して配置することにより、該電子機器本体２の厚さ又は大きさを相当分、抑えることができる。
【００１１】  請求項２に記載の発明は、充電式バッテリー２２を該電子機器本体２内に収納すると本体自身が大きくなるめ、バッテリーの筐体２１はヒンジを介し、該電子機器本体２に接続され、他一方側はリストバンド４１ｂに接続されている事を特徴とするものである。
【００１２】  請求項３に記載の発明は、振動発生器１２の筐体が手首と接する面に凸凹を設けている事、該筐体１１の一方片側はヒンジを介し該電子機器本体２に接続されている事、該筐体１１の他一方側は発生する振動の抑制を少なくする為のつなぎ３１を介してリストバンド４１ａに接続されている事を特徴とする。
【００１３】  請求項４に記載の発明は、電源用である充電式バッテリー２２及びその筐体２１を該電子機器本体２の一片側に、又他一方側には、振動発生器１２及びその筐体１１が配置されていることを特徴とするものである。
【００１４】  請求項５に記載の発明は、充電用ジャック２３を該バッテリーの筐体２１部分に取り付けているので、該本体２の容積が相当分小さくできるので、該電子機器本体２を小型化できる。
【００１５】  同時に、充電用ジャック２３は充電式バッテリー２２の筐体２１に取り付けることにより、内部の電気配線は固定でき、安定性を増している事を特徴とする。
【００１６】  請求項６に記載の発明は、電子機器本体２の操作部４のキースイッチでアラーム予約設定時刻の入力はできるが、メッセージの文字入力できるだけのキースイッチを配置できるスペースを確保することは困難である。
【００１７】  従って、外付けの情報端末器６０にて入力したアラーム設定時刻及びメッセージのデーター等を通信用ケーブル５０又は赤外線等のワイアレスの手段により、該電子機器本体２に送信し、該電子機器本体２のアラーム用カウントダウンのタイマーを始動させること及びメッセージをメモリーに入力する事を特徴とするものである。
【００１８】  請求項７に記載の発明は、アラーム予約設定時刻が現時刻に達した時、トリガーパルスを発生させ、そのトリガーパルスにより、振動発生器１２を駆動させ、同時に、メッセージを該電子機器本体２のメモリーから呼び出し、表示画面３に図８（ｂ）のメッセージが表示されるものである。
【００１９】  請求項８に記載の発明は、該情報端末器６０は、少なくとも、アラーム予約設定時刻及びメッセージの入力、保存及び送信が出来るものとし、その他に、タイマー、スケジュール、カレンダー、各種辞典等の機能を有し、且つ、その情報端末器６０単独でも使用できる事を特徴とする。
【発明実施の形態】
【００２０】以下に本発明の実施の形態の一例を図面に基づいて説明する。
【００２１】  図１は本発明の第一実施例を示す腕時計式電子機器１である。腕時計式電子機器１は主に、液晶表示部３、キースイッチ操作部４及び内装部５からなる電子機器本体２、その電子機器本体２の両端にヒンジ付振動発生器１２の筐体１１及び充電式バッテリー２２を収納している筐体２１を配置しているものである。
【００２２】の
ヒンジ付である振動発生器の筐体１１及び充電式バッテリー２筐体２１は空洞部分を有し、その中を介して該電子機器本体２と振動発生器１２間及び電子機器本体２と充電式バッテリー２２間は配線される。又、該振動発生器の筐体１１は、振動を効率的に伝達するために、手首に接する筐体面には凸凹を施している。
【００２３】  さらに、その振動発生器１２の筐体１１は発生する振動を抑制しない為のつなぎ３１を介してリストバンド４１ａに接続される、又、充電式バッテリー２２の筐体２１は直接リストバンド４１ｂに接続される。
【００２４】  内装部５にはクロック発信機、メモリー、時刻やデーターの表示及び演算や入出力等を行う電子部品、及びそれら内蔵品を固定するための基盤が含まれる。
【００２５】  以上のように構成された腕時計式電子機器１は図６に示すように、付属品として充電用アダプター８０を備え、充電用プラグ８２を介して充電できるものとする。該プラグ８２及び充電用ジャック２３の形状は他のものであっても構わない。
【００２６】  図７に示す情報端末器６０はキースイッチ操作部６４にてアラーム設定時刻及びメッセージを入力し、保存する。該情報端末器６０から電子機器本体２への送信手段としては、通信ケーブル５０を使用するか、又は、赤外線等のワイアレス等の手段で行っても良い。その場合、電子機器本体側のデーター通信用ケーブル接続ジャック６及び情報端末器側のデーター通信用ジャック６６の換わりに通信用受信部及び送信部を設ける、又は併設すれば良い。
【００２７】  入力時にメッセージ等の確認をする場合はスクロールスイッチ６２，６３を用いる。上方にスクロールする場合はスクロールスイッチ６２、下方にスクロールする場合はスクロールスイッチ６３を用いる。又、機能スイッチは６７〜７２とし、各種機能の選択スイッチであり、そのスイッチ数は限定しているものではない。
【００２８】  入力したアラーム設定時刻及びメッセージは、情報端末器６０のキースイッチ操作部６４にて電子機器本体２に送信する。又は、機能スイッチ６７〜７２の内の１個を送信用としても構わない。該電子機器本体２で受信されたアラーム予約設定時刻の信号により、アラーム用カウントダウンのタイマーをスタートさせる。
【００２９】  又、メッセージのデーターは該電子機器本体２のメモリーに入力保存される。設定したアラーム予約時刻が現在時刻に達した時、振動発生器１２が始動すると共に、メッセージのデーターは呼び出され、電子機器本体２の表示部３に図８（ａ）の現時刻表示が（ｂ）の様なメッセージに変わり、一定時間表示される。その後のメッセージ表示及び確認は、表示切替スイッチ１５を用いる。
【００３０】  又、該電子機器本体のメモリーに入力されたメッセージ及びアラーム設定時刻の情報は、該電子機器本体のキースイッチ操作部の操作によりすべて確認できるものである。該情報端末器６０を接続しないでアラーム予約設定時刻を入力する場合は、該電子機器本体２のキースイッチ操作部４を用いて行う。又、該電子機器本体のメモリーに入力されたメッセージ及びアラーム設定時刻の情報は、該電子機器本体のキースイッチ操作部の操作によりすべて確認できるものである。メッセージの入力については該キースイッチ操作部４では入力できない。
【００３１】  図３は、２個の偏重心の分銅１３ａ、１３ｂを取り付けた振動発生器１２を該電子機器本体２の一片側に取り付けたものである。
【００３２】  又、その２個の分銅１３ａ、１３ｂは、お互いに略１８０度の角度を持たせた振動モーターの略対称点に取り付けているが、振動モーターのシャフトに対して分銅の位置が略同角度、同一方向に取り付けたものでも構わない。しかし、この場合、振動モーター１２全体が遠心方向に振動するため、発生する振動は異なったものとなる。又、振動モーターに分銅１個を取り付けた振動発生器を含む他の振動発生器でも構わない。
【００３３】  図４及び図５で示す、振動発生器１２により発生する振動は、腕の尺骨、撓骨又はくるぶしに振動を伝えるものである。又リストバンド４１ａ、４１ｂ内に電気部品及び電気的配線は無いので、リストバンド４１ａ、４１ｂを取り外しても該腕時計式電子機器の機能に影響を及ぼす事はない。
【発明の効果】
【００３４】  本発明は以上のように、設定時刻を感知する方法が振動のため、他人に知られずに振動が直接身体で感知され、使用者本人だけに設定した時刻に達したことを報知するものであり、ビジネスマン、時間単位で活躍している者にとって、約束時間に遅れる事、約束を忘れる事、等の防止に役立つものである。
【図面の簡単な説明】
【００３５】
【図１】  通信ケーブル用ジャック及び充電用ジャックの取り付け配置を示した腕時計式電子機器の斜視図
【図２】  表示切替スイッチを取り付けた側を示した腕時計式電子機器の斜視図
【図３】  腕時計式電子機器を上方向から視た図
【図４】  腕時計式電子機器を横方向から視た図
【図５】  腕時計式電子機器を装着したと仮定した場合の横方向から視た図
【図６】  充電用アダプターの全体図
【図７】  情報端末器の全体図
【図８】  腕時計式電子機器の表示部とキースイッチ操作部を表した図
【図９】  通信用ケーブル図
【符号の説明】
【００３６】１  腕時計式電子機器
２  電子機器本体
３  表示部
４  キースイッチ操作部
５  内装部
６  電子機器本体側データ通信用ケーブル接続ジャック
１１  振動発生器の筐体
１２  振動発生器
１３ａ、１３ｂ  偏重心の分銅
１４  振動モーター停止スイッチ
１５  表示切替スイッチ
２１  充電用バッテリーの筐体
２２  充電用バッテリー
２３  充電用ジャック
３１  つなぎ
４１ａ、４１ｂ  リストバンド
５０  通信用ケーブル
５１、５２  プラグ
６０  情報端末器
６１  情報端末器の画面表示部
６２、６３  スクロールスイッチ
６４  情報端末器のキースイッチ操作部
６５  電源スイッチ
６６  情報端末器側データー通信用ジャック
６７、６８、６９、７０、７１、７２  機能スイッチ
８０  充電用アダプター
８１  充電用アダプター本体
８２  充電用プラグ
【手続補正書】
【提出日】平成18年9月25日(2006.9.25)
【手続補正１】
【補正対象書類名】明細書
【補正対象項目名】００１９
【補正方法】変更
【補正の内容】
【００１９】  請求項８に記載の発明において、該情報端末器６０は、少なくとも、アラーム予約設定時刻及びメッセージの入力、保存及び送信が出来るものとし、その他に、タイマー、スケジュール、カレンダー、各種辞典等の機能を有する電子機器、又は同等の機能を持った携帯電話、パソコン、電子手帳等、その情報端末器６０単独でも使用できる事を特徴とする。